(57)【要約】【課題】錠剤を封入容器から取り出す場合、両手を使うため、上手く受け取ることが出来ず跳ねるなどして飛散してしまう。または、手芸ビーズ、ビス等小さいものを扱う場合、飛散しがちである。又、これらのものを投げ入れる場合も跳ね返り飛散しやすい。また、目視の効かない場合、あるいは視力に障害のある人の場合、指を導くガイド機能がないため飛散してしまう。こうした問題を解決する構造を持った飛散防止具を提供する。【解決手段】本発明は、トレイの開口部の周縁に櫛形または短冊状に縦に切り込みを入れた形のゴムの柵からなるストップ部分を設けたことを特徴とする飛散防止具である。【選択図】図３
2019026391.tif 000002
【特許請求の範囲】
【請求項１】
トレイ（２）の開口部の周縁に櫛形または短冊状に縦に切り込みを入れた柵（７）からなるストップ部分を設けたことを特徴とする飛散防止具。
【請求項２】
環状ベルトの周縁に櫛形または短冊状に縦に切り込みを入れた柵（７）からなるストップ部分を設けたことを特徴とする飛散防止具。
【請求項３】
帯状ベルトの片側に櫛形または短冊状に縦に切り込みを入れた柵（７）からなるストップ部分を設け、ベルト部分に繋止手段による接着部分を設けた飛散防止具。
【発明の詳細な説明】
【技術分野】
【０００１】本発明は、錠剤、手芸ビーズ、ねじ釘ボルトナット等ビス類、等対象は限定されないが、飛散の可能性の高いものの飛散を防止し保持し、取り出しを容易にするためにゴムの弾力と柔軟性を利用した飛散防止具である。
【背景技術】
【０００２】錠剤、手芸ビーズ、ビス等対象物を封入容器から取り出すとき、両手を使うため、受け止める容器があると便利であるが、陶器、プラスチック等の容器を使うと、勢いが余る、あるいは目標が定まらない等のため跳ねて飛散してしまう。こうした問題を解決する構造を持った飛散防止具の必要性がある。
【先行技術文献】
【特許文献】
【０００３】
【特許文献１】特開２０１３−１８８３６２号公報
【特許文献２】特開２００８−０１１９５８号公報
【特許文献３】特開２００６−２８８９９８号公報
【発明の概要】
【発明が解決しようとする課題】
【０００４】解決しようとする問題点は、錠剤を封入容器から取り出す場合、両手を使うため受け取る容器が必要となるが、思わぬ力が加わり跳ねる、または、目標が定まらず飛散してしまう。また、手芸ビーズ、ネジ等も小さいため作業中飛散しやすい。そこで受け止め保持する容器が求められるが、陶器、プラスティック等の容器は跳ねるなどして飛散することが多い。また、容器の目視ができない場合、あるいは、目に障害のある人の場合には、指を導く機能がないためやはり飛散しがちである。また、ネジなどは投げ入れることが出来れば作業効率が上がる場合があるが、跳ねて飛び出して飛散してしまう。こうした飛散を防止する効果を持った飛散防止具がない。本発明はこれらの課題を解決するためになされたものである。
【課題を解決するための手段】
【０００５】本発明は、トレイ状の容器の開口部の周縁に櫛形または短冊状に縦に切り込みを入れた形のゴムの柵からなるストップ部分を設け、飛散を防止する器具である。この構成を実現するため、以下の方法を採用する。
トレイの開口部の周縁に櫛形または短冊状に縦に切り込みを入れた形のゴムの柵からなるストップ部分を設けたトレイを作る。または環状ベルトに櫛形または短冊状に縦に切り込みを入れた形のゴムの柵からなるストップ部分を設け、既製の小皿等に環状ベルト部分を利用し装着する。または帯状ベルトの片側に櫛形または短冊状に縦に切り込みを入れた形のゴムの柵からなるストップ部分を設け既製の小皿等に巻いて面ファスナー、フック、ボタンなどの繋止手段で留める。巻いた外側から幅広の輪ゴムで補強もできる。
以上を特徴とする飛散防止具である。
【発明の効果】
【０００６】本発明の飛散防止具は、封入からの取り出しについて飛散を防止し安心感を生じ、飛散した物を探す手間を省き。また、ネジなどのビス類、手芸ビーズ等の細かいものの投げ入れを可能にすることで作業の効率を上げ、受け止めるための容器が目視出来ない場合、あるいは視力に障害のある人の場合においても、指を導くガイド機能によって飛散を防止する。受け止めた後、こぼれるのを防止し安心して一連の作業が可能となる。トレイと一体の製品にした場合、底がゴム製のため安定して置くことができる。ゴムの柔軟性を利用して縦に切り込みが入っているため、指の動きを妨げず取り出しも容易となる。
【図面の簡単な説明】
【０００７】
【図１】本発明の断面図
【図２】本発明の平面図
【図３】本発明櫛形の斜視図
【図４】本発明短冊形の斜視図
【図５】本発明環状ゴム式櫛形斜視図
【図６】本発明環状ゴム式短冊形斜視図
【図７】本発明ベルト式斜視図
【図８】本発明ベルト式フック式繋止手段型平面図
【発明を実施するための形態】
【０００８】以下、本発明の実施の形態について説明する。
（イ）ゴムの円又は角状のトレイ（２）の開口部の周縁に櫛形（図３）又は短冊状に縦に切り込みを入れた形（図４）の柵（７）からなるストップ部分（１）を設ける。ゴムは天然ゴム、あるいは合成天然ゴム、ブタジエンゴム、クロロプレンゴム、ウレタンゴムなど伸び率が高く、反発弾性の高い、また引き裂き性の高い素材を用いる。柵（７）の幅、高さ、厚さ、柵相互の間隔等は、飛散を防止しようとする対象物に相応して設定するが、錠剤等に対しては幅２〜１２ｍｍ程度、高さ１５〜３０ｍｍ程度、厚さ１〜２ｍｍ程度とする。柵（７）と柵（７）の間隔は０〜１０ｍｍ程度とする。
（ロ）また、図５図６には第二の実施形態について記載する。環状ベルト（８）の周縁に櫛形（図５）又は短冊状に縦に切り込みを入れた形（図６）の柵（７）からなるストップ部分（１）を設け、既製の小皿等の開口部の周縁に環状ベルト部（８）で装着して同様の形態を形作ることもできる。この場合、環状ベルト部（８）の幅、高さ、厚さ、柵相互の間隔等は、飛散を防止しようとする対象物に相応して設定するが、錠剤等に対しては２５〜４５ｍｍ程度とする。柵（７）は、幅２〜１２ｍｍ程度、高さ１５〜３０ｍｍ程度、厚さ１〜２ｍｍ程度とする。柵（７）と柵（７）の間隔は０〜１０ｍｍ程度とする。
（ハ）また、図７と図８には第三の実施形態について記載する。帯状ベルトの片側に櫛形（図７）又は短冊状に縦に切り込みを入れた形の柵（７）からなるストップ部分（１）を設け、既製の小皿等開口部に帯状ベルト部分（９）を巻き付け面ファスナー（１０）で留める。あるいはボタンで留める。あるいはフック式（図８）などの繋止手段による接着部分を設けて留めることで同様の形態を形作ることもできる。この場合、幅広の輪ゴムで外側から補強すると形態が安定する。帯状ベルト部分（９）の幅、高さ、厚さ、柵相互の間隔等は、飛散を防止しようとする対象物に相応して設定するが、錠剤等に対しては２５〜４５ｍｍ程度とする。柵（７）は、幅２〜１２ｍｍ程度、高さ１５〜３０ｍｍ程度、厚さ１〜２ｍｍ程度とする。柵（７）と柵（７）の間隔は０〜１０ｍｍ程度とする。
本発明は以上のような構成である。
本発明を使用するときは、ストップ部分（１）が指を導くガイド機能を持つので、それに従いストップ部分の範囲内で、錠剤等を封入から取り出す。飛び出そうとする物をストップ部分の柵（７）が防ぎ飛散を防止する。また、ストップ部分（１）が飛散を防止するため、ネジ等の投げ入れ作業が可能となり、作業効率を上げることができる。
【符号の説明】
【０００９】  １    ストップ部分
２    トレイ部分
３    傾斜部分
４    滑り止め底面
５    受け止め部
６    形状安定のための厚み
７    柵
８    環状ベルト部
９    帯状ベルト部
１０  面ファスナー
１１  フック穴
１２  フック
【図１】
2019026391.tif 000003
【図２】
2019026391.tif 000004
【図３】
2019026391.tif 000005
【図４】
2019026391.tif 000006
【図５】
2019026391.tif 000007
【図６】
2019026391.tif 000008
【図７】
2019026391.tif 000009
【図８】
2019026391.tif 000010